(57)【要約】【課題】光の照射方向を鉛直下向きにした場合でも放熱性を高めることができ、且つ、光漏れを防止した小型の照明器具を提供する。【解決手段】照明器具は略円筒状の上ケースを有し、上ケースの下側には互いの収納スペースを連通させた状態で下ケース２が取着される。この下ケース２の後面は、上ケースの後部端縁から延出するとともに前後方向に対して斜めに交差する傾斜壁２ｂと、傾斜壁２ｂの後部端縁から延出する立壁２ａからなり、立壁２ａおよび傾斜壁２ｂには放熱孔２ｃ、２ｄがそれぞれ貫設されている。また、下ケース２の内部には、遮光板１６、１７がそれぞれ放熱孔２ｄ、２ｃに臨むように取着されており、遮光板１６は傾斜壁２ｂと並行し、且つ、法線方向において放熱孔２ｄの一部と重ならないように配置され、遮光板１７は傾斜壁２ｂから遠ざかるほど斜め前方に突出するように傾斜して配置される。【選択図】図１
2009205852.tif 000002
【特許請求の範囲】
【請求項１】
内部に配設された光源からの光を外部に照射させるための開口を前面に有し、照射方向を変化させるように軸回りに回動自在に保持される第１収納部と、前記光源に点灯電力を供給する安定器が収納され、内部の収納スペースを前記第１収納部の内部と連通させた状態で当該第１収納部に取着される第２収納部とを備え、
前記第２収納部の後面が、前記第１収納部の後部端縁から後方に延出し、且つ、前後方向に対して斜めに交差する第１の側壁と、当該第１の側壁の後縁から延出する第２の側壁からなり、前記第１および第２の側壁に前記第２収納部の内部の熱を外部に逃がすための第１および第２の放熱孔をそれぞれ設けるとともに、前記第２収納部の内部に遮光性を有する第１および第２の遮光板をそれぞれ前記第１および第２の放熱孔に臨むように配置し、
前記第１の遮光板は、前記第１の側壁と並行し、且つ、法線方向において前記第１の放熱孔の一部と重ならないように配置され、前記第２の遮光板は、前記第１の側壁から遠ざかるほど斜め前方に突出するように傾斜して配置されることを特徴とする照明器具。
【発明の詳細な説明】
【技術分野】
【０００１】
本発明は、例えばスポットライトのような出力電力の大きい照明器具に関するものである。
【背景技術】
【０００２】
従来より、ランプで発生する熱を放熱させる放熱孔からの光漏れを防止したスポットライトが提供されている（例えば特許文献１参照）。このスポットライトは、前面に複数の放熱孔が形成され、内部に光源ユニットが前後移動自在に収納されたボディ、および、前面にレンズが取着され、ボディの開口を閉塞するように当該ボディに被着されるカバーからなる器具本体を有し、前後方向において放熱孔と光源との間には光源を前後方向に移動させるための移動ユニットを構成する固定板が配設され、当該固定板により光源からの光が上記放熱孔から外部に漏れないようになっている。
【０００３】
また、上ケースの後面側に設けた複数の放熱孔からの光漏れを防止したスポットライトも提供されている。このスポットライトは、前面側が開口する略円筒状の上ケース、および、互いの内部の収納スペースが連通するように上ケースに取着される下ケースからなる器具本体を有し、上ケースの内部には光源が前後方向（光の照射方向）にスライド自在に配置され、下ケースには上記光源に電源を供給する安定器が収納されている。また、上ケースの後面（上記開口と反対側の面）には複数の放熱孔が貫設され、当該後面の内側には前後方向においてこれら複数の放熱孔と重なるように遮光板が配置されている。このスポットライトでは、光源および安定器で発生する熱が複数の放熱孔から外部に放熱されるとともに、遮光板により光源からの光が放熱孔から外部に漏れないようになっている。
【特許文献１】特開平７−１６９３０３号公報（段落［００１０］−段落［００１５］、及び、第１図−第３図）
【発明の開示】
【発明が解決しようとする課題】
【０００４】
スポットライトは、光の照射方向を調整できるように軸回りに回動自在になっており、上述した前者の特許文献１に示したスポットライトでは、前面（光の照射側）に放熱孔が設けられているため、例えば照射方向を鉛直下向きにした場合には、ランプで発生した熱が上方へ移動して器具本体の内部にこもり、放熱性が低下する虞があった。
【０００５】
また、後者のスポットライトでは、照射方向を鉛直下向きにした場合、光源で発生する熱は上ケースの後面の放熱孔から外部に逃がすことができるが、安定器で発生した熱は上方に移動するため、上ケースと下ケースの連結部分から上ケース側に移動しにくくなり、その結果下ケースの上部に熱がこもり、放熱性が低下する虞があった。
【０００６】
本発明は上記問題点に鑑みて為されたものであり、その目的とするところは、光の照射方向を鉛直下向きにした場合でも放熱性を高めることができ、且つ、光漏れを防止した小型の照明器具を提供することにある。
【課題を解決するための手段】
【０００７】
請求項１の発明は、内部に配設された光源からの光を外部に照射させるための開口を前面に有し、照射方向を変化させるように軸回りに回動自在に保持される第１収納部と、光源に点灯電力を供給する安定器が収納され、内部の収納スペースを第１収納部の内部と連通させた状態で当該第１収納部に取着される第２収納部とを備え、第２収納部の後面が、第１収納部の後部端縁から後方に延出し、且つ、前後方向に対して斜めに交差する第１の側壁と、当該第１の側壁の後縁から延出する第２の側壁からなり、第１および第２の側壁に第２収納部の内部の熱を外部に逃がすための第１および第２の放熱孔をそれぞれ設けるとともに、第２収納部の内部に遮光性を有する第１および第２の遮光板をそれぞれ第１および第２の放熱孔に臨むように配置し、第１の遮光板は、第１の側壁と並行し、且つ、法線方向において第１の放熱孔の一部と重ならないように配置され、第２の遮光板は、第１の側壁から遠ざかるほど斜め前方に突出するように傾斜して配置されることを特徴とする。
【発明の効果】
【０００８】
請求項１の発明によれば、第１および第２の遮光板を設けることによって、第１収納部側から入射される光源からの光が第１および第２の放熱孔から漏れるのを防止できるとともに、光の照射方向を鉛直下向きにした場合でも第２収納部の内部の熱を第１および第２の放熱孔から外部に逃がすことができ、しかも第１の遮光板を第１の側壁と並行し、且つ、法線方向において第１の放熱孔の一部と重ならないように配置しているから、第２収納部の内部の熱を直接外部に逃がす放熱経路が形成されて放熱性が向上し、さらに第２の遮光板を第１の側壁から遠ざかるほど斜め前方に突出するように傾斜させて配置しているから、第２収納部の内部の熱を第２の遮光板に沿わせて第１の放熱孔に導く放熱経路が形成されて放熱性が向上するという効果がある。さらに、安定器が収納される第２収納部自体に放熱孔を設けることによって、収納スペースに余裕を持たせる必要がないから第２収納部を小型化することができ、その結果、小型化した照明器具を提供することができるという効果がある。
【発明を実施するための最良の形態】
【０００９】
本発明の実施形態を図１〜図４に基づいて説明する。本実施形態の照明器具は、例えば舞台やスタジオなどで用いられるスポットライトであり、後述するように器具本体を軸回りに回動させることによって、内部に配設されたランプ１０からの光の照射方向が変えられるようになっている。なお、以下の説明では特に断りがない限り、図３中の矢印ａ−ｂの方向を前後方向、矢印ｃ−ｄの方向を左右方向、矢印ｅ−ｆの方向を上下方向として説明を行う。
【００１０】
本実施形態の照明器具は、図２〜図４に示すように略円筒状の上ケース１（第１収納部）および上ケース１の下側に取着される下ケース２（第２収納部）からなる器具本体と、上ケース１の内部に配設されるランプ１０（光源）と、ランプ１０の後方に配置されランプ１０からの光を前面側に反射させる反射鏡９と、ランプ１０に点灯電力を供給する安定器８とを備えている。
【００１１】
上ケース１は、前後方向を軸方向とする略円筒状であって前面が開口するケース本体１ａを有し、ケース本体１ａの後面を閉塞する後蓋３には複数の放熱孔３ａが貫設されている。また、ケース本体１ａの前面側の左端には、後述する前蓋５を軸支するための軸受部１ｂが設けられている。なお、後蓋３の後面には操作ハンドル４が取着され、この操作ハンドル４を上下方向に操作することによって器具本体（上ケース１および下ケース２）を軸回りに回動させて光の照射方向を変えられるようになっており、また後蓋３の内側（図２中の後蓋３の後面と上ケース１の後端との間）には、遮光性を有する材料で形成された遮光板１２が前後方向において上記複数の放熱孔３ａと重なるように配置され、ランプ１０からの光が放熱孔３ａから外部に漏れないようになっている。また、上述した放熱孔３ａは、器具本体の内部の熱を外部に逃がすために設けられたものであり、ランプ１０を点灯させた際に発生する熱や安定器８からの熱などが放熱孔３ａから外部に放出されるようになっている。
【００１２】
さらに、図３および図４に示すように、略Ｕ字状のアーム２０が上ケース１の左右方向両側部に設けた軸部（図示せず）に軸支されており、アーム２０に対して器具本体が軸回りに回動できるようになっている。また、左側の軸部にはねじ部が設けられ、このねじ部には固定ハンドル２１が螺合するようになっており、アーム２０に対して器具本体を所望の角度に回転させた後、固定ハンドル２１を時計回りの方向に回転させることによって、アーム２０に対する器具本体の位置（角度）が固定できるようになっている。
【００１３】
次に、前蓋５は、略矩形状の保持枠５ａおよび保持枠５ａの後方に設けられた筒状部５ｂからなり、筒状部５ｂの後面側には、例えばフレネルレンズからなる集光レンズ１１（図２参照）が取着され、保持枠５ａの４辺には、リフレクタ７ａ、７ｂがそれぞれ回動自在に取着されている。ここにおいて、リフレクタ７ａ、７ｂは、集光レンズ１１を通って外部に照射された光を所望の方向に反射させるためのものであり、本実施形態の照明器具では、器具本体を軸回りに回動させることによって光の照射方向を調整し、さらにリフレクタ７ａ、７ｂの角度を調整することによって微調整できるようになっている。
【００１４】
また、筒状部５ｂの左端には、上述した上ケース１の軸受部１ｂに軸支される軸部５ｃが設けられており、この軸部５ｃを軸受部１ｂに軸支させることによって、前蓋５が上ケース１の前面側に開閉自在に取着される。ここに、前蓋５は、例えばランプ交換などのメンテナンス時に、上ケース１内部に手を入れるために設けられたものである。
【００１５】
下ケース２は、上面が開口するとともに前後方向両側壁の上部が上ケース１のケース本体１ａの側壁に沿うように円弧状に切り欠かれた略矩形箱状の上収納部２ｅと、上収納部２ｅの下端縁から一体に形成された略矩形箱状の下収納部２ｆとで構成されており、上ケース１に取り付けた状態では互いの内部の収納スペースが連通するようになっている。
【００１６】
下収納部２ｆの後面は、図１および図２に示すように、上収納部２ｅの後部端縁から後方に延出するとともに前後方向に対して斜めに交差する（すなわち、上収納部２ｅの後部端縁から斜め下方に傾斜する）傾斜壁２ｂ（第１の側壁）と、傾斜壁２ｂの後部端縁から延出する立壁２ａ（第２の側壁）からなり、傾斜壁２ｂには複数の放熱孔２ｄ（第１の放熱孔）が、立壁２ａには複数の放熱孔２ｃ（第２の放熱孔）がそれぞれ貫設され、これらの放熱孔２ｃ、２ｄを介して内部の熱（下収納部２ｆ内に収納される安定器８の放熱孔８ａから放出される熱やランプ１０を点灯させた際に発生する熱など）が外部に放出される。
【００１７】
ここで、下収納部２ｆの内部には、遮光性を有する材料で形成された遮光板１６、１７がそれぞれ放熱孔２ｄ、２ｃに臨むように配置されている。遮光板１６（第１の遮光板）は、図１に示すように略矩形板状の遮光片１６ａと、傾斜壁２ｂに取着するための略Ｌ字状の取付片１６ｂとが一体に折曲形成されており、取付片１６ｂを介して傾斜壁２ｂに取り付けることによって、遮光片１６ａが傾斜壁２ｂと並行に配置される。また、遮光片１６ａは、上下方向（図１中の左右方向）において、その下端部が傾斜壁２ｂに設けた最も下側の放熱孔２ｄの下端縁よりも上側に位置するように（傾斜壁２ｂの法線方向において放熱孔２ｄの一部と重ならないように）配置される。
【００１８】
一方、遮光板１７（第２の遮光板）は、図１に示すように略矩形板状の遮光片１７ａと、立壁２ａに取着するための略Ｌ字状の取付片１７ｂとが一体に折曲形成されており、取付片１７ｂを介して立壁２ａに取り付けることによって、遮光片１７ａが下方に行くほど（傾斜壁２ｂから遠ざかるほど）斜め前方に突出するように傾斜して配置される。ここにおいて、遮光板１７の表面には、ランプ１０からの光が遮光片１７ａの表面で反射して傾斜壁２ｂ側の放熱孔２ｄから外部に漏れないように、黒色の全つや消し塗装が施されている。なお、上述した遮光板１６、１７は、図１に示すようにねじやリベットなどの固定部材１８によりそれぞれ傾斜壁２ｂ、立壁２ａに固定される。
【００１９】
次に、上収納部２ｅには、図２に示すようにランプ１０および反射鏡９を前後方向にスライド移動させるための移動機構が収納される。この移動機構は、前後方向（図２中の上下方向）に配設された一対のスライド軸１３（図２では一方のみ図示）と、スライド軸１３に沿って前後方向に移動する移動台１４とを備えている。一方のスライド軸１３には、長手方向に沿って螺旋状の溝１３ａが形成されており、移動台１４には溝１３ａに対応する部位に溝１３ａと係合する係合突起（図示せず）が設けられている。また、もう一方のスライド軸は、移動台１４に対して上述したスライド軸１３と反対側に配置され、移動台１４が前後方向にスライド移動できるように、移動台１４がスライド軸１３回りに回動するのを規制している。なお、スライド軸１３の後端部には操作ハンドル１５が取着されており、この操作ハンドル１５を回転させることによってスライド軸１３が回転し、このとき移動台１４の係合突起がスライド軸１３の溝１３ａに沿って移動することで、移動台１４が前後方向にスライド移動するようになっている。
【００２０】
一方、移動台１４の上面にはランプソケット２２を介してランプ１０が取り付けられており、さらにランプ１０の後方には後面側に凸となる曲面状の反射面を有する反射鏡９が取り付けられている。そして、操作ハンドル１５を回転させて移動台１４を前後方向に移動させることによって、ランプ１０および反射鏡９が前後方向に移動できるようになっている。なお、ランプソケット２２と安定器８の出力端（図示せず）との間は電線（図示せず）により接続されており、安定器８の出力端から出力された点灯電力がランプソケット２２を介してランプ１０に供給されるようになっている。
【００２１】
また、上収納部２ｅ内において移動機構の前方には、上述した前蓋５の開閉状態に応じてオン／オフする一対のリミットスイッチ１９（図２では一方のみ図示）が配置され、安定器８の一次側の各入力端（図示せず）と商用電源との間には各リミットスイッチ１９の内部接点（図示せず）がそれぞれ接続されている。したがって、前蓋５を閉じた状態では、前蓋５側に設けた操作片（図示せず）により各リミットスイッチ１９のアクチュエータ（図示せず）が押されるから、内部接点がオンして安定器８の一次側の各入力端と電源との間がそれぞれ接続され、逆に前蓋５を開けた状態では、アクチュエータは操作片により押されていないため、各リミットスイッチ１９の内部接点がオフして安定器８の一次側の各入力端と電源との間が両切りされる。
【００２２】
本実施形態の照明器具では、下ケース２（下収納部２ｆ）の内部に、遮光板１６、１７をそれぞれ放熱孔２ｄ、２ｃに臨むように配置することによって、上ケース１側から入射されるランプ１０からの光が放熱孔２ｄ、２ｃから外部に漏れるのを防止できるとともに、光の照射方向を鉛直下向きにした場合でも下ケース２の内部の熱を放熱孔２ｄ、２ｃから外部に逃がすことができる（例えば、図１中の二点鎖線Ｃや破線Ｄに示す放熱経路など）。しかも、遮光板１６の遮光片１６ａを傾斜壁２ｂと並行し、且つ、傾斜壁２ｂの法線方向において放熱孔２ｄの一部と重ならないように配置しているから、下ケース２の内部の熱を直接外部に逃がす放熱経路（図１中の実線Ａ）が形成されて放熱性が向上し、さらに遮光板１７の遮光片１７ａを傾斜壁２ｂから遠ざかるほど斜め前方に突出するように傾斜させて配置しているから、下ケース２の内部の熱を遮光片１７ａに沿わせて傾斜壁２ｂ側の放熱孔２ｄに導く放熱経路（図１中の一点鎖線Ｂ）が形成されて放熱性が向上する。
【００２３】
また、安定器８が収納される下ケース２（下収納部２ｆ）自体に放熱孔２ｃ、２ｄを設けることによって、収納スペースに余裕を持たせる必要がないから下ケース２を小型化することができ、その結果、小型化した照明器具を提供することができる。
【図面の簡単な説明】
【００２４】
【図１】本実施形態の照明器具の要部詳細断面図である。
【図２】同上の断面図である。
【図３】同上を前面側から見た斜視図である。
【図４】同上を後面側から見た斜視図である。
【符号の説明】
【００２５】
１  上ケース（第１収納部）
２  下ケース（第２収納部）
２ａ  立壁（第２の側壁）
２ｂ  傾斜壁（第１の側壁）
２ｃ  放熱孔（第２の放熱孔）
２ｄ  放熱孔（第１の放熱孔）
８  安定器
１０  ランプ（光源）
１６  遮光板（第１の遮光板）
１７  遮光板（第２の遮光板）
【図１】
2009205852.tif 000003
【図２】
2009205852.tif 000004
【図３】
2009205852.tif 000005
【図４】
2009205852.tif 000006